(57)【特許請求の範囲】
【請求項１】
箱型の乗りかご本体と、
この乗りかご本体の背面に隣接して設けられたトランクと、
このトランクの開口部分に前記乗りかご本体側へ内開き可能に設けられ、閉鎖時には前記乗りかご本体の背面の一部となるトランク扉と、
このトランク扉の内側に階段状に形成された踏み板固定機構と、
前記トランク扉の開放時に、両端部が前記踏み板固定機構に固定され、作業台を形成する踏み板と、
を備えることを特徴とするエレベータの乗りかご。
【請求項２】
踏み板固定機構は、前記トランク扉の内側に３段３列で設けられていることを特徴とする請求項１記載のエレベータの乗りかご。
【請求項３】
前記踏み板固定機構は、Ｌ字のフック形状であり、かつ、
前記踏み板は、箱型に形成され、その両端部が前記踏み板固定機構のフック形状に嵌合されることを特徴とする請求項１または請求項２記載のエレベータの乗りかご。
【請求項４】
前記トランク扉の内側に鉛直方向で設けられ、前記トランク扉と前記乗りかご本体の床面との隙間に合わせて伸縮し、前記トランク扉を前記床面に固定する扉固定機構を更に備えることを特徴とする請求項１乃至請求項３のいずれか一項記載のエレベータの乗りかご。
【請求項５】
前記トランク扉の内部に設けられ、前記トランク扉の開放時に前記踏み板固定機構を前記乗りかご本体の前面側へ延伸する扉スライド機構を更に備えることを特徴とする請求項１乃至請求項４のいずれか一項記載のエレベータの乗りかご。
【発明の詳細な説明】
【技術分野】
【０００１】
本発明の実施形態は、エレベータの乗りかごに関する。
【背景技術】
【０００２】
エレベータの乗りかご内に作業台（足場）を設置する場合の方法として、乗りかごの床に予め伸縮可能な収納式の足場台を組み込んでおき、作業台設置が必要な場合に応じて、床面中央のタイルを取り外して床下から作業台を上方向に引上げることで作業台設置を可能とする手法が知られている。
【先行技術文献】
【特許文献】
【０００３】
【特許文献１】特開平９−３０９６７７号公報
【発明の概要】
【発明が解決しようとする課題】
【０００４】
しかしながら、上記の技術においては、エレベータにおいて作業台を設置する場合には、既存の構造に大掛かりな機構・装置の追加を必要としているため、設置をする際に大きく手間が掛かるという問題があった。
【０００５】
そこで、本発明は、上記従来技術の問題に鑑み、乗りかごの構造に簡易な加工を施すだけで、作業台を低コストで設置可能なエレベータの乗りかごを提供することを目的とする。
【課題を解決するための手段】
【０００６】
本発明の一実施形態に係るエレベータの乗りかごは、箱型の乗りかご本体、トランク、トランク扉、踏み板固定機構及び踏み板を備えることを特徴とする。トランクは、乗りかご本体の背面に隣接して設けられている。トランク扉は、トランクの開口部分に乗りかご本体側へ内開き可能に設けられ、閉鎖時には乗りかご本体の背面の一部となる。踏み板固定機構は、トランク扉の内側に階段状に形成されている。踏み板は、トランク扉の開放時に、両端部が踏み板固定機構に固定され、作業台を形成する。
【図面の簡単な説明】
【０００７】
【図１】本発明の第１の実施形態に係るエレベータの乗りかご内に作業台を設置した際の要部を抜き出した斜視図。
【図２】図１に示す踏み板の構造を説明する図。
【図３】図１に示す作業台の設置手順の具体例を示すフローチャート。
【図４】図１に示す作業台の設置手順を説明する図。
【図５】本発明の第２の実施形態に係るエレベータの乗りかご内に設けられたトランク扉の構造を説明する図。
【図６】図５に示すトランク扉に固定される踏み板の構造を説明する図。
【図７】図５に示すトランク扉を床面に固定する扉固定機構の構造を説明する図。
【図８】本発明の第２の実施形態に係るエレベータの乗りかご内における作業台の設置例を示す図。
【図９】本発明の第２の実施形態に係るエレベータの乗りかご内における作業台の設置例を示す図。
【図１０】本発明の第３の実施形態に係るエレベータの乗りかごに設けられたトランク扉の開放時の状態を示す図。
【図１１】図１０に示すトランク扉のスライド後の状態を示す図。
【図１２】図１１に示すトランク扉に踏み板を作業台として固定した際の状態を示す図。
【図１３】図１０に示すトランク扉に設けられた扉固定機構の使用前の状態を示す図。
【図１４】図１０に示すトランク扉に設けられた扉固定機構の使用時の状態を示す図。
【発明を実施するための形態】
【０００８】
以下、本発明の実施形態について図面を用いて詳細に説明する。  
＜第１の実施形態＞
図１は、本発明の第１の実施形態に係るエレベータの乗りかご１内に作業台を設置した際の要部を抜き出した斜視図である。同図に示されるように、箱型の乗りかご１の本体は、床面部１０、引き戸型の開閉扉（図示省略する）が格納される正面部１１、この正面部１１に隣接して設けられた一対の側面部１２、正面部１１に対向する背面部１３及び天井部１４を備えている。また、乗りかご１の本体には、寸法の大きな荷物を積載するために乗りかご１の背面部１３の奥に第二の空間領域を提供するトランク１５が隣接して設けられている。また、このトランク１５の開口部分には、乗りかご１の本体側へ内開き可能であって、かつ、扉の閉鎖時には乗りかご１の背面部１３の一部となる左右２枚のトランク扉１６が設置されている。更に、トランク扉１６の開放時には、踏み板１７の両端部が踏み板固定機構１８に固定されることで、作業員が保守点検作業などに用いる作業台を形成する。尚、踏み板１７は、トランク扉１６の閉鎖時には、トランク１５内に保管されているものとする。
【０００９】
図２は、図１に示す踏み板１５の構造を説明する図である。図２（ａ）は踏み板１５の斜視図、図２（ｂ）は踏み板１５を下面方向から見た図、図２（ｃ）は図２（ｂ）に示す破線Ａにおける断面図、図２（ｄ）は踏み板１５を端部側から見た図である。これらの図に示されるように、踏み板１７は、作業員が実際に乗りあげる足場となる中央部１７１及びトランク扉１６の内側面から突出して形成される踏み板固定機構１８と噛み合うように中央部１７１の端面から突出して形成された板固定部１７２とからなる。
【００１０】
以下、本実施形態に係るエレベータの乗りかご１内における作業台の設置手順を説明する。図３は、図１に示す作業台の設置手順の具体例を示すフローチャートである。また、図４は、図１に示す作業台の設置手順を説明する図である。
【００１１】
先ず、作業員が、図４（ａ）に示されるトランク扉１６を解錠して乗りかご１の本体側へ開放（Ｓ３０１）する（図４（ｂ））。次に、作業員は、トランク扉１６内に格納されている踏み板１７を取り出し（Ｓ３０２）、トランク扉１６の内側に設けられている踏み板固定機構１８に踏み板１７を足場（作業台）として固定する（Ｓ３０３）。
【００１２】
また、保守点検作業を終了（Ｓ３０４：Ｙｅｓ）すると、作業員は踏み板１７を踏み板固定機構１８から取り外し（Ｓ３０５）、トランク扉１６内に再び格納する。そして、トランク扉１６を閉鎖して施錠し、全作業を終了する。
【００１３】
このように、本実施形態に係るエレベータの乗りかご１によれば、トランク扉１６に予め加工を施し、作業員が乗っても変形・破損しない強度を持つ踏み板１７を作業台としてトランク扉１６間に固定するため、作業員が作業台に乗ることで保守点検作業を迅速かつ安全に行うことができる。また、床面に作業台の格納機構を設ける必要がないため、簡易かつ低コストで作業台を設置できる利点を有する。
【００１４】
＜第２の実施形態＞
以下、本発明の第２の実施形態について図５乃至図９を参照して説明する。尚、第１の実施形態において付された符号と共通する符号は同一の対象を表すため説明を省略し、以下では異なる箇所について詳細に説明する。
【００１５】
図５は、本実施形態に係るエレベータの乗りかご１内に設けられたトランク扉１６の構造を説明する図である。同図に示されるように、本実施形態に係るエレベータの乗りかご１は、第１の実施形態と異なり、踏み板固定機構１８が、Ｌ字のフック形状であり、トランク扉１６の内側に３段３列で溶接されている。したがって、作業員は合計９箇所の踏み板固定機構１８の中から必要とする位置に踏み板１７を設置できる。すなわち、一段につき最大３枚設置することを可能である。
【００１６】
また、本実施形態に係るエレベータの乗りかご１は、トランク扉１６の内側に鉛直方向で扉固定機構１９が設けられており、トランク扉１６と乗りかご１の本体の床面部１０との隙間に合わせて伸縮することで、トランク扉１６を床面部１０に確実に固定することができる。
【００１７】
図６は、図５に示すトランク扉１６に固定される踏み板１７の構造を説明する図である。図６（ａ）は踏み板１５の斜視図、図６（ｂ）は踏み板１５を下面方向から見た図、図６（ｃ）は図６（ｂ）に示す破線Ａにおける断面図、図６（ｄ）は図６（ｂ）に示す破線Ｂにおける断面図である。これらの図に示されるように、踏み板１７は、箱型に形成され、その両端部がフック形状の踏み板固定機構１８に嵌合可能となっている。尚、踏み板１７は、トランク１５内に最低３枚は常設されているものとする。
【００１８】
図７は、図５に示すトランク扉１６を床面に固定する扉固定機構１９の構造を説明する図である。同図に示されるように、扉固定機構１９は、鉛直方向に伸びる高強度のシャフト部１９１、このシャフト部１９１から水平方向に突出する操作部１９２、シャフト部１９１をトランク扉１６に固定する複数個のシャフト固定部１９３、床面１０と接触するゴム製の接面部１９４からなる。このため、操作部１９２をシャフト固定部１９３の開口部分に通すことで簡易に高さ調節を行うことで床面１０までの高さがカーペットの厚さなどで変動しても対応でき、接面部１９４を床面１０に隙間なく接触させることができる。
【００１９】
このように、本実施形態に係るエレベータの乗りかご１によれば、トランク扉１６の内側に３段３列の合計９個の踏み板固定機構１８（Ｌ字型調整フック）が設けられているため、踏み板１７の固定場所を選択することで階段状あるいは同一段というように作業台の高さや広さを任意に変更することができる。図８及び図９は、本実施形態に係るエレベータの乗りかご内における作業台の設置例を示す図である。
【００２０】
また、乗りかご１の背面部１３側に設置されているトランク扉１６には、トランク扉１６と床面１０との隙間に応じて長さを調節可能な、ゴムと丸落としによって構成された扉固定機構１９が設けられているため、トランク扉１６の開放の際にトランク扉１６の下端と床面部１０との間に隙間がある場合であっても、トランク扉１６を床面部１０へ確実に固定することができる。このため、作業台に人が搭乗する際に荷重がかかっても、トランク扉１６が変形・破損することを防ぐことができ、作業員はより安全に作業を行うことができる。
【００２１】
更に、トランク１５内に格納されている踏み板１７は、箱曲げで加工されているため、Ｌ字型に形成された踏み板固定機構１８（Ｌ字型調整フック）に隙間なく嵌め合わされる。すなわち、作業員が乗りあげた際に踏み板１７が外れてしまうのを防止できるため、作業の安全性が更に向上する利点がある。
【００２２】
＜第３の実施形態＞
以下、本発明の第３の実施形態について図１０乃至図１４を参照して説明する。尚、第１及び第２の実施形態において付された符号と共通する符号は同一の対象を表すため説明を省略し、以下では異なる箇所について詳細に説明する。
【００２３】
図１０は、本実施形態に係るエレベータの乗りかご１に設けられたトランク扉１６の開放時の状態を示す図である。また、図１１は、図１０に示すトランク扉１６のスライド後の状態を示す図、図１２は、図１１に示すトランク扉１６に踏み板１７を作業台として固定した際の状態を示す図である。これらの図に示されるように、本実施形態に係るエレベータの乗りかご１は、他の実施形態と異なり、トランク扉１６の内部には、トランク扉１６の開放時に踏み板固定機構１８を乗りかご本体の正面部１１側へ延伸する扉スライド機構２０が設けられている。そして、スライドされた踏み板固定機構１８に踏み板１７が固定される。
【００２４】
また、図１３は、図１０に示すトランク扉１６に設けられた扉固定機構１９の使用前の状態を示す図である。また、図１４は、図１０に示すトランク扉に設けられた扉固定機構１９の使用時の状態を示す図である。これらの図に示されるように、トランク扉１６は扉正面部１６１、扉中央部１６２及び固定部１６３を有しており、扉固定機構１９の使用時には、扉固定機構１９のシャフト部１９１を扉の下面に設けられている孔に通した後に回転させて操作部１９２を固定部１６３に固定することで床面部１０にトランク扉１６を固定することができる。
【００２５】
このように、本実施形態に係るエレベータの乗りかご１によれば、上記第１及び第２の実施形態の場合に比べて、作業台を乗りかご１本体の正面部１１寄りに設置することが可能となる。したがって、正面部１１側の保守点検作業が容易となるだけでなく、非常時の救出作業時にも活用できる利点を有する。
【００２６】
以上、本発明のいくつかの実施形態を説明したが、これらの実施形態は、例として提示したものであり、発明の範囲を限定することは意図していない。これら新規な実施形態は、その他の様々な形態で実施することが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２７】
１…乗りかご
１０…床面部
１１…正面部
１２…側面部
１３…背面部
１４…天井部
１５…トランク
１６…トランク扉
１７…踏み板
１８…踏み板固定機構
１９…扉固定機構
２０…扉スライド機構
【図１】
0005479281.tif 000002
【図２】
0005479281.tif 000003
【図３】
0005479281.tif 000004
【図４】
0005479281.tif 000005
【図５】
0005479281.tif 000006
【図６】
0005479281.tif 000007
【図７】
0005479281.tif 000008
【図８】
0005479281.tif 000009
【図９】
0005479281.tif 000010
【図１０】
0005479281.tif 000011
【図１１】
0005479281.tif 000012
【図１２】
0005479281.tif 000013
【図１３】
0005479281.tif 000014
【図１４】
0005479281.tif 000015